(57)【特許請求の範囲】
【請求項１】
無孔管からなる少なくとも１本の親管と、該親管に長手方向に沿って所定の間隔ごとに連結される有孔管からなる複数本の取水管と、前記親管と集水施設との間を連結する導水管とを備え、
沖合いの所定の水深の地盤中に前記親管と前記取水管とを埋設し、前記地盤内に自然浸透する海水を前記取水管の各孔を介して取水管の内部に取り込み、該取水管、前記親管、及び前記導水管を介して前記集水施設に集水する浸透取水システムであって、
前記親管と前記導水管との連結部に親管と導水管との間を連通する集水枡を設け、該集水枡に該集水枡の内部に立ち入るための点検孔を設け、
前記取水枡には、前記親管と前記導水管との間の連結する遮断するための止水板が取り外し可能に設けられていることを特徴とする特徴とする浸透取水システム。
【請求項２】
無孔管からなる少なくとも１本の親管と、該親管に長手方向に沿って所定の間隔ごとに連結される有孔管からなる複数本の取水管と、前記親管と集水施設との間を連結する導水管とを備え、
沖合いの所定の水深の地盤中に前記親管と前記取水管とを埋設し、前記地盤内に自然浸透する海水を前記取水管の各孔を介して取水管の内部に取り込み、該取水管、前記親管、及び前記導水管を介して前記集水施設に集水する浸透取水システムであって、
前記親管と前記導水管との連結部に親管と導水管との間を連通する集水枡を設け、該集水枡に該集水枡の内部に立ち入るための点検孔を設け、
前記親管は、前記取水管の径よりも大径のコルゲート管から形成されていることを特徴とする特徴とする浸透取水システム。
【請求項３】
請求項１における浸透取水システムにおいて、前記親管は、前記取水管の径よりも大径のコルゲート管から形成されていることを特徴とする浸透取水システム。
【請求項４】
前記親管の少なくとも１箇所に、該親管の内部に立ち入るための点検孔を設けたことを特徴とする請求項１〜３の何れか１項に記載の浸透取水システム。
【請求項５】
前記複数の取水管の間隔を、２．５ｍ〜７．５ｍの範囲内に設定したことを特徴とする請求項１〜４の何れか１項に記載の浸透取水システム。
【請求項６】
前記地盤は、砕石層と、該砕石層の上部に積層される粒度調整砕石層と、該粒度調整砕石層の上部に積層される砂層とからなり、前記砕石層内に前記親管及び前記取水管が埋設されていることを特徴とする請求項１〜５の何れか１項に記載の浸透取水システム。
【請求項７】
前記砕石層及び前記粒度調整砕石層は、海水の透過を許容し、前記砂層の砂粒子の透過を阻止する半透水構造に設定されていることを特徴とする請求項６に記載の浸透取水システム。
【請求項８】
前記砂層の表面での浸透流速を、４．０〜８．０（ｍ／日）の範囲内に設定したことを特徴とする請求項６又は７に記載の浸透取水システム。
【請求項９】
前記砂層の水深は、該砂層の表層部分の砂が５０ｃｍ以上移動する水深よりも深く、かつ１ｃｍ以上移動する水深よりも浅く設定されていることを特徴とする請求項６〜８の何れか１項に記載の浸透取水システム。
【発明の詳細な説明】
【技術分野】
【０００１】
本発明は、浸透取水システムに関し、特に、海水淡水化処理施設や発電所等の集水施設に自然浸透により海水を導く浸透取水システムに関する。
【背景技術】
【０００２】
従来、地上の海水淡水化処理施設や発電所等の集水施設に、海から取水した海水を集水するための浸透取水システムとして、岸から沖に向けて一直線に有孔管を敷設したものや、沖合いの同一水深の海底に海岸線と平行となるように複数本の有孔管を埋設し、この有孔管と地上の集水施設との管を導水管を介して連結したもの等が提案されている。
【０００３】
このような構成の浸透取水システムの一例として、特許文献１には、有孔管の内部に砂が浸入するのを防止すために、有孔管の表面に砂の浸入を防止するためのネットや不織布を巻き付けたり、有孔管の下部のみに内外を貫通する孔を設けたりするように構成したものが記載されている。
また、他の例として、複数の有孔管を使用する場合に、所定の取水量を得るために有孔管の間隔を埋設深さの２倍以上に設定するように構成したものが提案されている。
【特許文献１】特公平４−２５７６９号公報
【発明の開示】
【発明が解決しようとする課題】
【０００４】
ところで、上記のような構成の浸透取水システムにあっては、砂の浸入を防止するために有孔管の表面にネットや不織布を巻き付けているため、その巻き付け作業に非常に手間がかかる。
また、有孔管の表面にネットや不織布を巻き付けても、砂の浸入を完全に防止することができないため、時間の経過に伴って有孔管の内部に溜る砂の量が次第に増加し、取水能力が次第に低下し、所定の取水量が得られなくなる等のトラブルが生じる。このようなトラブルが生じた場合に、その箇所のみの修理を行うことができないため、システム全体を解体して再構築しなければならない。
【０００５】
本発明は、上記のような従来の問題に鑑みなされたものであって、予期せぬ原因によって有孔管（取水管）や有孔管を導水管に連結する親管が破損等し、それらの内部に砂等の異物が流入して所定の取水量が得られなくなる等のトラブルが生じた場合に、トラブルが生じた箇所の修理を行うことができ、これにより、システム全体を解体して再構築することなく、所定の取水量を回復することができる浸透取水システムを提供することを目的とする。
【課題を解決するための手段】
【０００６】
上記のような課題を解決するために、本発明は、以下のような手段を採用している。
すなわち、請求項１に係る発明は、無孔管からなる少なくとも１本の親管と、該親管に長手方向に沿って所定の間隔ごとに連結される有孔管からなる複数本の取水管と、前記親管と集水施設との間を連結する導水管とを備え、沖合いの所定の水深の地盤中に前記親管と前記取水管とを埋設し、前記地盤内に自然浸透する海水を前記取水管の各孔を介して取水管の内部に取り込み、該取水管、前記親管、及び前記導水管を介して前記集水施設に集水する浸透取水システムであって、前記親管と前記導水管との連結部に親管と導水管との間を連通する集水枡を設け、該集水枡に該集水枡の内部に立ち入るための点検孔を設け、前記取水枡には、前記親管と前記導水管との間の連結する遮断するための止水板が取り外し可能に設けられていることを特徴とする特徴とする。
【０００７】
本発明の浸透取水システムによれば、点検孔から集水枡の内部に立ち入ることができるので、集水枡の内部に砂等の異物が流入する等のトラブルが生じた場合に、そのトラブルの原因を取り除いて、修復することができる。
また、集水枡の内部に、親管と導水管との間の連通を遮断するための止水板が取り外し可能に設けられているので、親管の内部に砂等が流入する等のトラブルが生じた場合に、親管と導水管との間を止水板により遮断し、海水の流れを堰き止めた状態で修復作業を行うことができる。また、親管を２本以上によって構成した場合には、止水板によって一方の親管を遮断し、他方の親管を連通させたままの状態で、一方の親管の修復作業を行うことができるので、取水を停止することなく、親管の修復作業を行うことが可能となる。
【０００８】
請求項２に係る発明は、請求項１に記載の浸透取水システムであって、無孔管からなる少なくとも１本の親管と、該親管に長手方向に沿って所定の間隔ごとに連結される有孔管からなる複数本の取水管と、前記親管と集水施設との間を連結する導水管とを備え、沖合いの所定の水深の地盤中に前記親管と前記取水管とを埋設し、前記地盤内に自然浸透する海水を前記取水管の各孔を介して取水管の内部に取り込み、該取水管、前記親管、及び前記導水管を介して前記集水施設に集水する浸透取水システムであって、前記親管と前記導水管との連結部に親管と導水管との間を連通する集水枡を設け、該集水枡に該集水枡の内部に立ち入るための点検孔を設け、前記親管は、前記取水管の径よりも大径のコルゲート管から形成されていることを特徴とする特徴とする。
【０００９】
本発明の浸透取水システムによれば、取水管内に取り込まれた海水は、取水管から大径の親管内に流入することにより流速が下げられ、海水中に含まれる砂等の異物がコルゲート管からなる親管の谷部に蓄積されることになる。
【００１０】
請求項３に係る発明は、請求項１における浸透取水システムにおいて、前記親管は、前記取水管の径よりも大径のコルゲート管から形成されていることを特徴とする。
浸透取水システム。
【００１１】
請求項４に係る発明は、請求項１〜３の何れか１項に記載の浸透取水システムであって、前記親管の少なくとも１箇所に、該親管の内部に立ち入るための点検孔を設けたことを特徴とする。
【００１２】
本発明の浸透取水システムによれば、点検孔から親管の内部に立ち入ることができるので、親管及び親管に連結される取水管の内部に砂等の異物が流入する等のトラブルが生じた場合に、そのトラブルの原因を取り除いて、修復することができる。
【００１３】
請求項５に係る発明は、請求項１〜４の何れか１項に記載の浸透取水システムであって、前記複数の取水管の間隔を、２．５ｍ〜７．５ｍの範囲内に設定したことを特徴とする。
【００１４】
本発明の浸透取水システムによれば、取水管の間隔は２．５ｍ〜７．５ｍの範囲内に設定されているので、地盤の表層部での浸透流速を略均一にすることができ、地盤の目詰まりを防止でき、所定の取水量が得られることになる。
【００１５】
請求項６に係る発明は、請求項１〜５の何れか１項に記載の浸透取水システムであって、前記地盤は、砕石層と、該砕石層の上部に積層される粒度調整砕石層と、該粒度調整砕石層の上部に積層される砂層とからなり、前記砕石層内に前記親管及び前記取水管が埋設されていることを特徴とする。
【００１６】
本発明の浸透取水システムによれば、地盤内に自然浸透する海水は、砂層、粒度調整砕石層、及び砕石層を介して取水管の各孔から取水管の内部に取り込まれ、各取水管、親管、及び導水管を介して地上の集水施設に導かれることになる。
【００１７】
請求項７に係る発明は、請求項６に記載の浸透取水システムであって、前記砕石層及び前記粒度調整砕石層は、海水の透過を許容し、前記砂層の砂粒子の透過を阻止する半透水構造に設定されていることを特徴とする。
【００１８】
本発明の浸透取水システムによれば、砕石層及び粒度調整砕石層内に砂層の砂粒子が浸入するのを阻止できるので、所定の取水量を安定して得ることができる。
【００１９】
請求項８に係る発明は、請求項６又は７に記載の浸透取水システムであって、前記砂層の表面での浸透流速を、４．０〜８．０（ｍ／日）の範囲内に設定したことを特徴とする。
【００２０】
本発明の浸透取水システムによれば、砂層の目詰まりを起こすのを防止できるので、所定の取水量を安定して得ることができる。
【００２１】
請求項９に係る発明は、請求項６〜８の何れか１項に記載の浸透取水システムであって、前記砂層の水深は、該砂層の表層部分の砂が５０ｃｍ以上移動する水深よりも深く、かつ１ｃｍ以上移動する水深よりも浅く設定されていることを特徴とする。
【００２２】
本発明の浸透取水システムによれば、砂層の目詰まりを起こすのを防止できるので、所定の取水量を安定して得ることができる。
【発明の効果】
【００２４】
以上、説明したように、本発明の浸透取水システムによれば、点検孔を介して集水枡の内部に立ち入ることができるので、取水管から親管を介して集水枡内に砂等の異物が流入する等のトラブルが発生した場合に、そのトラブルが生じた箇所を修復することができる。
また、点検孔を介して親管の内部に立ち入ることができるので、予期せぬ原因によって親管や取水管が破損等して、親管や取水管の内部に砂等の異物が流入する等のトラブルが発生した場合に、そのトラブルが生じた箇所を修復することができる。
さらに、集水枡に、親管と導水管との連通を遮断する止水板を取り外し可能に設けたので、親管の内部にトラブルが生じた場合に、親管から集水枡を介して導水管側への流れを堰き止めて修復作業を行うことができるので、作業の安全性を確保することができる。さらに、親管を２本以上によって構成した場合には、止水板によって一方の親管を遮断し、他方の親管を連通させたままの状態で、一方の親管の修復作業を行うことができるので、取水を停止することなく、親管の修復作業を行うことが可能となる。
さらに、親管を取水管よりも大径のコルゲート管で形成したので、取水管から親管に流入する海水の流速を下げることができ、海水中に含まれる砂等の異物をコルゲート管の谷部分に溜めることができる。
さらに、地盤の表層部での海水の浸透流速を略均一にすることができるので、地盤の目詰まりを防止することができ、所定の取水量を安定して得ることができる。
【発明を実施するための最良の形態】
【００２５】
以下、図面に示す本発明の実施の形態について説明する。
図１〜図７には、本発明による浸透取水システムの一実施の形態が示されていて、図１は全体の平面図、図２は図１の断面図、図３は図１の部分拡大図、図４は図３のＡ−Ａ線断面図、図５は図３の部分拡大図、図６は図５のＢ−Ｂ線断面図、図７は図５のＣ−Ｃ線断面図である。
【００２６】
すなわち、この浸透取水システムは、図１及び図２に示すように、海底４０の同一水深の地盤４１中に埋設される少なくとも１本（本実施の形態では１本）の親管１と、親管１に連結される複数本の取水管１０と、親管１と地上の集水施設４７との間を連結する１本の導水管２２と、親管１の導水管２２との連結部に設けられる集水枡２３とを備えている。
【００２７】
親管１は、沖合いの所定の水深の海底４０の地盤４１中に、海岸線４６と略平行かつ水平となるように埋設され、この親管１の長手方向の中央部と地上の集水施設４７との間が、海底４０の傾斜に沿って敷設されている導水管２２を介して相互に連結されている。
【００２８】
親管１は、図３、図４、図８、及び図９に示すように、無孔タイプの高密度ポリエチレン製の複数本のコルゲート管２を継手４を介して連結することにより１本に形成したものであって、各コルゲート管２には人が立ち入り可能な内径のものが使用されている。本実施の形態においては、内径がφ１８００ｍｍ、長さが５ｍのコルゲート管２を複数本連結し、親管１の全長を３００ｍ程度に設定している。親管１の長手方向の両端開口部には、図８に示すようなＦＲＰ等からなる円板状の閉塞板３が溶着等によって一体に取り付けられ、この閉塞板３によって親管１の両端開口部が閉塞されている。親管１は、継手４を介して延長可能に構成されている。
【００２９】
親管１は、１本に限らず、複数本を各々が互いに平行となるように、かつ海岸線４６と平行となるように、地盤４１中に埋設させてもよい。この場合には、各親管１と導水管２２との連結部にそれぞれ集水枡２３を設ければよい。
【００３０】
継手４はＦＲＰ等から形成されるものであって、図８及び図９に示すように、筒状の継手部６と、継手部６の長手方向の中央部に継手部６と直交するように一体に設けられる筒状の一対の取水管取付け部７、７とから構成され、継手部６を介して隣接するコルゲート管２、２の端部間が連結され、各取水管取付け部７にそれぞれ取水管１０が連結される。
【００３１】
継手４は、一対の半筒状の継手半部５、５に分割され、両継手半部５、５を上下方向から隣接するコルゲート管２、２の端部間、両コルゲート管２、２間に連結される一対の取水管１０、１０の端部にゴム等からなるパッキン８を介して被嵌させ、両継手半部５、５の縁部間をボルト・ナット９により締め付けることにより、隣接するコルゲート管２、２の端部間が連結され、両コルゲート管２、２間に一対の取水管１０、１０が連結される。
【００３２】
親管１の複数箇所には、図３〜図６、図８及び図９に示すように、ＦＲＰ等から形成される点検部１７が設けられ、人が各点検部１７を介して親管１の内部に立ち入ることができるように構成されている。各点検部１７は、隣接する継手４、４間に位置するコルゲート管２の中央部に垂直に設けられる筒状の点検用孔１８と、点検用孔１８の開口部を開閉する開閉蓋１９と、点検用孔１８をコルゲート管２の中央部に固定する固定部２０とから構成され、点検用孔１８に対応するコルゲート管２の部分には、内外を貫通する孔が設けられている。
【００３３】
点検部１７の固定部２０は、図９に示すように、一対の半筒状の固定半部２１、２１に分割され、一方の固定半部２１の中央部に点検孔１８が垂直に立設されている。点検部１７は、両固定半部２１、２１を上下方向からコルゲート管２の外周面にパッキン８を介して被嵌させ、両固定半部２１、２１の縁部間をボルト・ナット９により締め付けることにより、コルゲート管２の中央部に取り付けられる。
【００３４】
取水管１０は、図１０〜図１２に示すように、有孔タイプの高密度ポリエチレン製のコルゲート管１１から形成される。取水管１０の谷部１２には、内外を貫通する複数の孔１３が設けられ、各孔１３を介して取水管１０の内部に海水を取り込み可能に構成されている。
【００３５】
取水管１０の一端部は、図１０及び図１１に示すように、継手４の各取水管取付け部７にパッキン８を介して連結される、取水管１０の他端部には、図１０及び図１１に示すような高密度ポリエチレンからなる円板状の閉塞板１４が溶着等により一体に取り付けられ、この閉塞板１４によって取水管１０の他端開口部が閉塞される。取水管１０は、１本のコルゲート管１１又は複数のコルゲート管１１を筒状の継手１５を介して連結することにより、所定の長さに形成される。継手１５は、半筒状の一対の継手半部１６、１６から構成され、両継手半部１６、１６の縁部間をボルト・ナット９により締め付けることにより、コルゲート管１１、１１の端部間が連結される。
【００３６】
集水枡２３は、図１３及び図１４に示すように、海底４０の地盤４１中に垂直に立設される外壁２４と、外壁２４の底部を閉塞する底板３７と、外壁２４の上部を閉塞する上板３８とからなり、外壁２４と底板３７と上板３８とによって囲まれる部分に密閉された集水空間２９が形成されている。
【００３７】
外壁２４は、前壁２５と後壁２６と左横壁２７と右横壁２８の４つの壁からなる角筒状をなすものであって、前壁２５の中央部に導水管２２の一端部が貫通した状態で一体に連結され、左横壁２７及び右横壁２８の後壁２６寄りの部分に、親管１のコルゲート管２の端部が貫通した状態でそれぞれ一体に連結されている。
【００３８】
集水枡２３の集水空間２９の中央部には、左横壁２７及び右横壁２８と平行かつ垂直に隔壁３０が設けられ、この隔壁３０の先端部と左横壁２７との間、及び右横壁２８との間にそれぞれ止水板３１が取り外し可能に設けられている。そして、通常は、両止水板３１、３１は取り外した状態にあり、左右の親管１、１と導水管２２とは集水枡２３を介して相互に連通した状態にある。一方、地震等の予期せぬ原因によって左右の親管１、１に破損等が生じ、内部に砂等の異物が流入する等のトラブルが発生した場合には、左右何れか一方の止水板３１を取り付け、その止水板３１を介して一方の親管１と導水管２２との間を遮蔽し、トラブル箇所の修復作業を行う。この場合、他方の親管１側には止水板３１が取り付けられていないので、他方の親管１と導水管２２との間は集水枡２３を介して連通した状態とあり、所定の取水量を確保することができる。止水板３１は、例えばシャッターによって構成される。
【００３９】
集水枡２３の隔壁３０の左側に対応する上板３８の部分及び右側に対応する上板３８の部分には、集水枡２３内外を貫通する筒状の点検孔３５がそれぞれ垂直に立設され、この点検孔３５を介して集水枡２３の隔壁３０の左側の部分及び隔壁３０の右側の部分にそれぞれ立ち入り可能に構成されている。各点検孔３５の開口部は開閉蓋３６によって開閉可能に構成されている。
【００４０】
親管１、取水管１０、集水枡２３、及び点検部１７が埋設される海底の地盤４１は、図１１に示すように、砕石層４３と、砕石層４３の上部に積層される粒度調整砕石層４４と、粒度調整砕石層４４の上部に積層される砂層４５とからなり、砕石層４３の厚み方向の中央部に取水管１０が水平に埋設されている。
【００４１】
砕石層４３は、ランダムな粒径の砕石の集合体からなり、粒度調整砕石層４４は、所定の範囲内の粒径の砕石の集合体からなり、砕石層４３と粒度調整砕石層４４とによって海水をろ過するためのフィルター層４２が構成されている。
【００４２】
砕石層４３及び粒度調整砕石層４４は、砕石等の無機粒状物によって構成されている。なお、砕石層４３及び粒度調整砕石層４４は、砕石等の無機粒状物に限らず、玉砂利、ガラス、プラスチック等で構成してもよい。
【００４３】
フィルター層４２は、海水の透過を許容し、砂層４５の砂粒子の透過を阻止する半透水構造に構成されている。半透水構造は、以下の２つの条件を満たすことにより得られる。
（１）フィルター層４２の粒度調整砕石層４４の構成材料である砕石の通過重量百分率のうち、１５％粒径値ＡＤ１５を砂層４５の構成材料である砂粒子の通過重量百分率のうち、１５％粒径値ＳＤ１５で除算した値が５よりも大きいこと。
（２）フィルター層４２の粒度調整砕石層４４の構成材料である砕石の通過重量百分率のうち、１５％粒径値ＡＤ１５を、砂層４５の構成材料である砂粒子の通過百分率のうち、８５％粒径値ＳＤ８５で除算した値が５よりも小さいこと。
【００４４】
本実施の形態においては、上記のような半透水構造を、フィルター層４２の粒度調整砕石層４４と砕石層４５との間にも適用している。この場合、以下の２つの条件を満たすことにより半透水構造が得られる。
（１）フィルター層４２の砕石層４３の構成材料である砕石の通過重量百分率のうち、１５％粒径値ＢＤ１５を、粒度調整砕石層４４の構成材料である砕石の通過重量百分率のうち、１５％粒径値ＡＤ１５で除算した値が５よりも大きいこと。
（２）砕石層４３の構成材料である砕石の通過重量百分率のうち、１５％粒径値ＢＤ１５を、粒度調整砕石層４４の構成材料である砕石の通過百分率のうち、８５％粒径値ＡＤ８５で除算した値が５よりも小さいこと。
【００４５】
また、本実施の形態においては、取水管１０による取水作用によって砂層４５内に発現される海水浸透流速を４．０〜８．０（ｍ／日）としている。ここで、海水浸透流速とは、海水が砂層４５の表層部を浸透するときの浸透速度であって、この海水浸透流速が速ければ速いほど、海水を多く取水することができるが、砂層４５内へシルトを浸入させ、砂層４５の目詰まりの原因となる。その一方で、海水浸透流速が遅すぎると、取水量が少なくなって取水効率が非常に悪くなるとともに、砂層４５内に十分な酸素を供給することができず、生物膜を死滅させる問題が生じる。
【００４６】
このため、本実施の形態においては、上記のような問題を阻止するために、図１５に示すように、有孔管からなる取水管１０の間隔を２．５ｍ〜７．５ｍの範囲内に設定し、海水浸透流速を４．０〜８．０（ｍ／日）の範囲内に設定している。
【００４７】
すなわち、シルト粒子の粒径は、０．００５ｍｍ〜０．０７４ｍｍ程度であるので、シルトが動き出さない海水の流速（移動限界流速）を求める。ここで、移動限界流速は、シルト粒子の限界実流速に対して、面積空隙率を乗じた値となる。なお、面積空隙率は０．３５とする。シルト粒子の限界実流速は、粒径と限界実流速の関係を表すグラフ（地盤工学会：「地盤工学ハンドブック」、報光堂、ｐ１０４１、１９９９、久保田、田中による測定結果）を使って求める。このグラフから、粒径０．０８ｍｍのシルト粒子の限界実流速は、０．０２６ｃｍ／ｓと読み取れる。従って、シルトの移動限界流速の上限は、０．０２６×０．３５×２４×３６００＝７８６．２４（ｃｍ／日）……約８．０（ｍ／日）となる。
【００４８】
この結果から、シルトによる目詰まりを生じさせないためには、最大でも海水浸透流速は、８．０（ｍ／日）以下に設定する必要がある。また、砂層４５内に十分な酸素を供給して生物膜を死滅させないためには、少なくとも１．０（ｍ／日）の海水浸透流速が必要である。これらのことから、海水浸透流速は、１．０〜８．０（ｍ／日）の範囲内に設定するのが最良であるが、本実施の形態においては、現実を考慮して、図１５に示すように、更に狭い４．０〜８．０（ｍ／日）の範囲内に設定している。
【００４９】
このような範囲内に海水浸透流速を設定することにより、海水は、砂層４５内を所定の浸透流速で自然浸透して行く過程で、砂層４５中の砂粒子の周りに形成された硝化細菌等の微生物からなる生物膜と接触し、この生物膜により生物ろ過されて細菌レベルまで浄化される。
【００５０】
さらに、これら取水管１０が埋設される地盤４１の砂層４５の水深は、砂層４５の表層部分の砂が５０ｃｍ以上移動する水深よりも深く、かつ１ｃｍ以上移動する水深よりも浅く設定される。これら水深は、数値計算によるだけでなく、例えば放射性トレーサーを用いた漂砂の移動観測データ、波浪データ、海底表面の底質データ、潮流分析データ、等の各種海洋学上の観測データに基づき、求められる。この水深は、海域によって様々に異なる。このような厚みに砂層４５を設定することにより、砂層４５の表層部分を波浪や潮流によって適度に攪拌することができるので、砂層４５の表面部分に目詰まりが生じるのを更に効果的に防止できる。
【００５１】
上記のように構成した本実施の形態による海水取水システムにあっては、集水枡２３の内部、及び親管１の内部に点検孔１８、３５から立入り可能に構成されているので、地震等の予期せぬ原因によって親管１や取水管１０に破損等が生じて、それらの内部に砂等の異物が流入し、取水量が低下するトラブルが生じた場合に、集水枡２３及び親管１の内部に点検孔１８、３５から立ち入ることにより、トラブル箇所の修復を図ることができる。従って、トラブルが発生した場合、システム全体を解体して再構築する必要がなくなる。
【００５２】
また、集水枡２３の内部及び親管１の内部に点検孔１８、３５から立ち入る際に、導水管２２と親管１との間を止水板３１によって遮断することができるので、一方の親管１と導水管２２との間を遮断してその親管１の修復を行い、他方の親管１と導水管２２との連通を確保して取水を継続するような使い方ができる。従って、取水を停止することなく、修復作業を行うことができる。
【００５３】
さらに、親管１、及び取水管１０にコルゲート管２、１１を使用し、しかも親管１を取水管１０よりも大径としているので、取水管１０及び親管１の内部に浸入する砂等の異物をコルゲート管２、１１の谷部に溜めることができる。また、取水管１０から親管１に流入する海水の流速を下げることができるので、効率よく親管１のコルゲート管２の谷部に砂等の異物を溜めることができる。
【００５４】
さらに、親管１の長さを延長することにより、取水管１０を増設することができるので、将来の取水量の増加等による設計変更に柔軟に対応することが可能となる。
【００５５】
さらに、取水管１０の間隔を２．５ｍ〜７．５ｍの範囲内に設定しているので、砂層４５の表層部分での浸透流速を略均一に設定することができる。従って、浸透流速のばらつきによって砂層４５の表層部分に局部的に目詰まりが生じるようなことはなく、自然浸透によって所定の取水量を確実に確保することができる。
【００５６】
さらに、浸透流速を４．０〜８．０（ｍ／日）の範囲内に設定しているので、砂層４５内へシルトを浸入させたりするようなことはなく、砂層４５に目詰まりが生じるのを阻止でき、所定の取水量が確実に得られることになる。
【００５７】
さらに、砂層４５の水深を、波浪、潮流によって砂層４５の表層部分が適度に攪拌される値に設定しているので、砂層４５の表面部分の動きが停止して目詰まりが生じるようなことはなく、所定の取水量が確実に得られることになる。
【図面の簡単な説明】
【００５８】
【図１】本発明による浸透取水システムの一実施の形態の全体を示した平面図である。
【図２】図１の断面図である。
【図３】図１の部分拡大図である。
【図４】図３のＡ−Ａ線断面図である。
【図５】図３の部分拡大図である。
【図６】図５のＢ−Ｂ線断面図である。
【図７】図５のＣ−Ｃ線断面図である。
【図８】図５の部分拡大図である。
【図９】図８の正面図である。
【図１０】図５の部分拡大図である。
【図１１】図１０の正面図である。
【図１２】取水管の拡大図である。
【図１３】集水枡の平面図である。
【図１４】図１３のＤ−Ｄ線断面図である。
【図１５】浸透流速と取水管の間隔との関係を示した説明図である。
【符号の説明】
【００５９】
１    親管                        ２    コルゲート管（無孔タイプ）
３    閉塞板                      ４    継手
５    継手半部                    ６    継手部
７    取水管取付け部              ８    パッキン
９    ボルト・ナット              １０  取水管
１１  コルゲート管（有孔タイプ）  １２  谷部
１３  孔                          １４  閉塞板
１５  継手                        １６  継手半部
１７  点検部                      １８  点検孔
１９  開閉蓋                      ２０  固定部
２１  固定半部                    ２２  導水管
２３  集水枡                      ２４  外壁
２５  前壁                        ２６  後壁
２７  左横壁                      ２８  右横壁
２９  集水空間                    ３０  隔壁
３１  止水板                      ３５  点検孔
３６  開閉蓋                      ４０  海底
４１  地盤                        ４２  フィルター層
４３  砕石層                      ４４  粒度調整砕石層
４５  砂層                        ４６  海岸線
４７  集水施設
【図１】
0004544060.tif 000002
【図２】
0004544060.tif 000003
【図３】
0004544060.tif 000004
【図４】
0004544060.tif 000005
【図５】
0004544060.tif 000006
【図６】
0004544060.tif 000007
【図７】
0004544060.tif 000008
【図８】
0004544060.tif 000009
【図９】
0004544060.tif 000010
【図１０】
0004544060.tif 000011
【図１１】
0004544060.tif 000012
【図１２】
0004544060.tif 000013
【図１３】
0004544060.tif 000014
【図１４】
0004544060.tif 000015
【図１５】
0004544060.tif 000016